(57)【特許請求の範囲】
【請求項１】
半導体スイッチング素子を有する半導体モジュールと、
前記半導体モジュールの冷却を目的としたヒートシンクと、
前記半導体モジュールを前記ヒートシンクに押さえ付けるためのバネ部材と、
前記半導体モジュールおよび前記バネ部材を収納する筐体と、
前記筐体を前記ヒートシンクに取り付けることで、前記バネ部材を介して前記半導体モジュールを前記ヒートシンクに押さえ付ける橋状構造と
を有し、
前記橋状構造は、締結構造を有しておらず、
前記筐体が前記ヒートシンクに取り付けられることで、前記バネ部材が前記橋状構造によって押し付けられ、前記半導体モジュールが前記ヒートシンクに密着させられる構造を備える
電力変換装置。
【請求項２】
前記筐体は、前記ヒートシンクに取り付けられる際に、前記ヒートシンクの半導体モジュール搭載面に配置され、前記ヒートシンクの前記半導体モジュール搭載面と逆の面からネジ締結によって固定される
請求項１に記載の電力変換装置。
【請求項３】
前記筐体を覆うカバーをさらに有し、
前記カバーを前記筐体にネジ締結するためのネジ穴と、前記ヒートシンクを前記筐体にネジ締結するためのネジ穴が共通化されている
請求項２に記載の電力変換装置。
【請求項４】
前記筐体を覆うカバーをさらに有し、
前記筐体および前記カバーは、前記ヒートシンクに対して共締めされる
請求項１に記載の電力変換装置。
【請求項５】
前記筐体は、収納された前記半導体モジュールおよび前記バネ部材を覆うカバーを有する
請求項１に記載の電力変換装置。
【請求項６】
前記ヒートシンクと前記筐体との間、および前記筐体と前記カバーとの間に設置されたパッキンをさらに有する
請求項３または４に記載の電力変換装置。
【請求項７】
前記橋状構造は、前記ヒートシンクに押さえ付ける前記半導体モジュールの数に応じて、複数個設けられている
請求項１から６のいずれか１項に記載の電力変換装置。
【請求項８】
前記橋状構造は、前記筐体と一体化して構成されている
請求項１から７のいずれか１項に記載の電力変換装置。
【請求項９】
前記橋状構造は、前記筐体と別部品として構成されている
請求項１から７のいずれか１項に記載の電力変換装置。
【請求項１０】
筐体は、アルミニウム合金または亜鉛合金で形成されている
請求項１から９のいずれか１項に記載の電力変換装置。
【請求項１１】
筐体は、樹脂材料で形成されている
請求項１から９のいずれか１項に記載の電力変換装置。
【発明の詳細な説明】
【技術分野】
【０００１】
本発明は、放熱構造を備えた電力変換装置に関する。
【背景技術】
【０００２】
従来の電力変換装置においては、半導体素子を有する半導体モジュールが用いられている。半導体モジュールは、スイッチングの際に発熱するため、冷却されることが望ましい。半導体モジュールの冷却方法としては、例えば、半導体モジュールをヒートシンクに取付け、ヒートシンクを通して、半導体モジュールを冷却する方法が挙げられる。【０００３】
従来の電力変換装置では、半導体モジュールは、バネ部材によってヒートシンクに押し付けられている。これによって、半導体モジュールとヒートシンクの密着性が向上し、熱伝達率を向上させることが可能となる。すなわち、半導体モジュールは、放熱され易くなる。【０００４】
従来技術においては、ヒートシンクの上面に配置された半導体モジュール上に、バネ部材を配置し、さらに、バネ部材上にバネ部材を補強するための補強梁を配置している。この補強梁には、貫通穴が形成されている。そして、補強梁とバネ部材を重ねた状態で、ネジによって補強梁をヒートシンク側に締め付けることで、半導体モジュールをヒートシンクに密着させている（例えば、特許文献１参照）。
【先行技術文献】
【特許文献】
【０００５】
【特許文献１】特許第４１２９０２７号公報
【発明の概要】
【発明が解決しようとする課題】
【０００６】
しかしながら、従来技術には、以下のような課題がある。
このような従来技術では、半導体モジュールをヒートシンクに押し付けるために、バネ部材および補強梁が必要となる。このため、従来の電力変換装置は、部品点数が多くなっていた。さらに、従来の電力変換装置は、部品点数が多くなることによって、筐体内の構造上の制約が生まれる、あるいは組立工数が増加するなどの課題があった。【０００７】
本発明は、前記のような課題を解決するためになされたものであり、筐体内部の部品点数および組立工程を従来よりも低減させることのできる構造を備えた電力変換装置を得ることを目的とする。
【課題を解決するための手段】
【０００８】
本発明に係る電力変換装置は、半導体スイッチング素子を有する半導体モジュールと、半導体モジュールの冷却を目的としたヒートシンクと、半導体モジュールをヒートシンクに押さえ付けるためのバネ部材と、半導体モジュールおよびバネ部材を収納する筐体と、筐体をヒートシンクに取り付けることで、バネ部材を介して半導体モジュールをヒートシンクに押さえ付ける橋状構造とを有し、橋状構造は、締結構造を有しておらず、筐体がヒートシンクに取り付けられることで、バネ部材が前記橋状構造によって押し付けられ、半導体モジュールがヒートシンクに密着させられる構造を備えるものである。
【発明の効果】
【０００９】
本発明によれば、半導体モジュール、通電部品などの発熱部品の冷却を目的としてバネ部材の上部に補強梁を取り付け固定する代わりに、筐体を取り付け固定することでバネ部材を押し付けることのできる構造を設け、筐体の取り付けにより、半導体モジュールをヒートシンクに固定できる構成を備えている。この結果、筐体内部の部品点数および組立工程を従来よりも低減させることのできる構造を備えた電力変換装置を得ることができる。
【図面の簡単な説明】
【００１０】
【図１】本発明の実施の形態１における電力変換装置の斜視展開図である。
【図２】本発明の実施の形態１における図１の構成を備えた電力変換装置の断面図である。
【図３】本発明の実施の形態２における電力変換装置の斜視展開図である。
【図４】本発明の実施の形態２における図３の構成を備えた電力変換装置の断面図である。
【図５】本発明の実施の形態３における電力変換装置の斜視展開図である。
【図６】本発明の実施の形態３における図５の構成を備えた電力変換装置の断面図である。
【図７】本発明の実施の形態４における電力変換装置の斜視展開図である。
【図８】本発明の実施の形態４における図７の構成を備えた電力変換装置の断面図である。
【図９】本発明の実施の形態５における電力変換装置の斜視展開図である。
【図１０】本発明の実施の形態５における図９の構成を備えた電力変換装置の断面図である。
【図１１】本発明の実施の形態６における電力変換装置の斜視展開図である。
【発明を実施するための形態】
【００１１】
以下、本発明の電力変換装置の好適な実施の形態につき図面を用いて説明する。なお、以下の実施の形態により、本発明が限定されるものではない。
【００１２】
実施の形態１．
図１は、本発明の実施の形態１における電力変換装置の斜視展開図である。また、図２は、本発明の実施の形態１における図１の構成を備えた電力変換装置の断面図である。
【００１３】
図１に示した本実施の形態１に係る電力変換装置は、カバー１０、回路部２０、筐体３０、板バネ４０、半導体モジュール５０、およびヒートシンク６０が積層され、ねじ７０、７１によって固定される構造を備えている。
【００１４】
図２に示すように、筐体３０には、補強梁の代替となる橋状構造３１が設けられている。そして、ねじ７１を用い筐体３０をヒートシンク６０に組付けることによって、同時に、橋状構造３１によって板バネ４０が押し付けられ、半導体モジュール５０がヒートシンク６０に密着させられる構造となっている。
【００１５】
さらに、ねじ７０を用いることで、回路部２０を挟みこむようにして、カバー１０が筐体３０に組付けられている。
【００１６】
以上のように、実施の形態１によれば、橋状構造３１を備えた筐体３０を用いて半導体モジュール５０をヒートシンク６０に接着させることができる。このため、従来の電力変換装置で必要となっていた補強梁が不要となる。この結果、筐体内部の部品点数および組立工程を従来よりも低減させることのできる構造を備えた電力変換装置を実現することができる。
【００１７】
実施の形態２．
図３は、本発明の実施の形態２における電力変換装置の斜視展開図である。また、図４は、本発明の実施の形態２における図３の構成を備えた電力変換装置の断面図である。
【００１８】
図３に示した本実施の形態２に係る電力変換装置は、先の実施の形態１と同様に、カバー１０、回路部２０、筐体３０、板バネ４０、半導体モジュール５０、およびヒートシンク６０が積層され、ねじ７０、７１によって固定される構造を備えている。本実施の形態２は、先の実施の形態１と比較すると、ねじ７１を用いた固定方法が異なっている。そこで、この相違点を中心に、以下に説明する。
【００１９】
先の実施の形態１では、ねじ７１を用いてヒートシンク６０に対して筐体３０をネジ止めした後、上部に回路部２０を設置した上で、別のネジ穴を使用して、筐体３０のカバー１０を設置する構造をとっていた。
【００２０】
これに対して、本実施の形態２では、ヒートシンク６０に筐体３０をねじ止めする際に、筐体３０に対してヒートシンク６０側からねじ７１によってネジ止めする構造となっている。この結果、カバー１０を筐体３０に取付けるためのネジ７０用のねじ穴と、ねじ７１用のネジ穴を共通化することができ、ネジ締結点数を削減することができる。
【００２１】
以上のように、実施の形態２によれば、先の実施の形態１と同様の効果を実現できる。さらに、実施の形態２によれば、ねじによる固定方法を工夫して、ねじ穴を共通化することで、さらに、ネジ締結点数の削減を図ることができる。
【００２２】
実施の形態３．
図５は、本発明の実施の形態３における電力変換装置の斜視展開図である。また、図６は、本発明の実施の形態３における図５の構成を備えた電力変換装置の断面図である。
【００２３】
図５に示した本実施の形態３に係る電力変換装置は、カバー１０、回路部２０、筐体３０、板バネ４０、半導体モジュール５０、およびヒートシンク６０が積層され、ねじ７０のみを用いて固定される構造を備えている。すなわち、本実施の形態３は、先の実施の形態１、２と比較すると、ねじ７１を不要とした固定方法が異なっている。そこで、この相違点を中心に、以下に説明する。
【００２４】
本実施の形態３では、ヒートシンク６０上に筐体３０を設置し、上部に回路部２０を設置した上で、筐体３０のカバー１０を設置し、ヒートシンク６０、筐体３０、カバー１０の３部品を、１種類のネジ７０でねじ止めする構造をとっている。これによって、ネジを共用とすることができ、ネジ本数・締結点数の削減となる。
【００２５】
以上のように、実施の形態３によれば、先の実施の形態１と同様の効果を実現できる。さらに、実施の形態３によれば、ねじによる固定方法を工夫して、ねじ穴を共通化するとともに、ねじ自身も１種類とすることで、さらに、ねじ本数、ネジ締結点数の削減を図ることができる。
【００２６】
実施の形態４．
図７は、本発明の実施の形態４における電力変換装置の斜視展開図である。また、図８は、本発明の実施の形態４における図７の構成を備えた電力変換装置の断面図である。
【００２７】
図７に示した本実施の形態４に係る電力変換装置は、筐体３０ａ、回路部２０、板バネ４０、半導体モジュール５０、およびヒートシンク６０が積層され、ねじ７０のみを用いて固定される構造を備えている。すなわち、本実施の形態４は、先の実施の形態３と比較すると、筐体３０ａが、カバー１０の機能を有することで、カバー１０と筐体３０が一体化されている。そこで、この相違点を中心に、以下に説明する。
【００２８】
本実施の形態４では、ヒートシンク６０上に半導体モジュール５０および回路部２０を設置した上で、補強梁およびカバーの機能を有する筐体３０ａを設置した構造を有している。これにより、更なる部品点数の削減を実現している。
【００２９】
以上のように、実施の形態４によれば、先の実施の形態１と同様の効果を実現できる。さらに、実施の形態４によれば、カバーと筐体を一体化することで、さらなる部品点数の削減を図ることができる。
【００３０】
実施の形態５．
図９は、本発明の実施の形態５における電力変換装置の斜視展開図である。また、図１０は、本発明の実施の形態５における図９の構成を備えた電力変換装置の断面図である。
【００３１】
図９に示した本実施の形態５に係る電力変換装置は、カバー１０、回路部２０、パッキン８０、筐体３０、板バネ４０、半導体モジュール５０、パッキン８１、およびヒートシンク６０が積層され、ねじ７０、７１によって固定される構造を備えている。本実施の形態５は、先の実施の形態２と比較すると、パッキン８０、８１をさらに備えている点が異なっている。そこで、この相違点を中心に、以下に説明する。
【００３２】
本実施の形態５による電力変換装置では、カバー１０と筐体３０との間にパッキン８０が設置され、筐体３０とヒートシンク６０との間にパッキン８１が設置されている。このような構造を採用することで、パッキン８０、８１によって筐体３０とヒートシンク６０との間の防水・防塵性を持たせることができ、回路部２０を外部の水や異物から保護することができる。
【００３３】
以上のように、実施の形態５によれば、先の実施の形態２と同様の効果を実現できる。さらに、実施の形態５によれば、パッキンを組み込むことで、さらに、防水・防塵性を備えた電力変換装置を実現することができる。
【００３４】
実施の形態６．
図１１は、本発明の実施の形態６における電力変換装置の斜視展開図である。本実施の形態６では、筐体３０に複数の橋状構造３１が設けられている。このような構成を採用することで、半導体モジュール５０の配置数を増加させることができる。
【００３５】
以上のように、実施の形態６によれば、先の実施の形態１と同様の効果を実現できる。さらに、実施の形態６によれば、補強梁の役目を果たす橋状構造を複数備えた筐体を用いることで、半導体モジュールの配置数を増加させることができ、電量変換装置の設計の自由度を向上させることが可能となる。
【００３６】
なお、上述した実施の形態１〜６に係る電力変換装置では、筐体と橋状構造を一体としていたが、本発明は、このような構成に限定されるものではない。例えば、バネ部材を押さえ付ける際、補強梁の役目を果たす橋状構造を筐体によって固定するなど、筐体と橋状構造を複数の部品に分割した構成を採用することも可能である。このように、筐体と橋状構造を別部材とすることで、筐体の構造を簡易化することができる。
【００３７】
また、上述した実施の形態１〜６では、筐体の材料を特に指定していないが、筐体の材料としては、ダイキャスト加工が可能で熱伝導性の高い、アルミニウム合金や亜鉛合金など、融点の低い材料で構成することが望ましい。また、筐体の材料は、熱伝導性の高い材料であれば、金属に限定されることなく、モールド加工可能な樹脂材料を用いても良い。
【符号の説明】
【００３８】
１０  カバー、２０  回路部、３０、３０ａ  筐体、３１  橋状構造、４０  板バネ、５０  半導体モジュール、６０  ヒートシンク、７０、７１  ネジ、８０、８１  パッキン。
【図１】
0006800319.tif 000002
【図２】
0006800319.tif 000003
【図３】
0006800319.tif 000004
【図４】
0006800319.tif 000005
【図５】
0006800319.tif 000006
【図６】
0006800319.tif 000007
【図７】
0006800319.tif 000008
【図８】
0006800319.tif 000009
【図９】
0006800319.tif 000010
【図１０】
0006800319.tif 000011
【図１１】
0006800319.tif 000012